(57)【要約】【課題】原稿読取手段（スキャナ）にセットされた複数枚の原稿を１枚の原稿として一括して読み取って画像データを入力し、画像データの認証を認証サーバへ依頼し、認証サーバからの認証結果に関する情報を画像データに埋め込んで印刷出力できるようにする。【解決手段】画像処理装置１は、原稿の画像データの認証を行うための認証サーバ４０と通信する通信部５と、複数枚の原稿を１枚の原稿として一括して読み取って画像データを入力する画像読み取り部２と、入力された画像データの認証を認証サーバ４０に依頼する機器制御部３と、認証サーバ４０からの認証結果に基づいて該認証結果に関する情報を付加情報（電子透かし）として生成する付加情報生成手段１１と、印刷出力する画像形成部６とを備える。画像形成部６は、画像処理部１２により画像処理が施された画像データと、付加情報生成手段１１により生成された付加情報とを合成して記録紙に印刷出力する。【選択図】図１
2007074089.tif 000002
【特許請求の範囲】
【請求項１】
入力された画像データに画像処理を施して出力する画像処理装置において、原稿の画像データの認証を行うための認証サーバと通信する手段と、原稿を読み取って画像データを入力する原稿読取手段と、該入力された画像データの認証を前記認証サーバに依頼する手段と、前記認証サーバから受信した認証結果に基づいて該認証結果に関する情報を付加情報として生成する付加情報生成手段と、前記原稿読取手段から入力された画像データに対して画像処理を施す画像処理手段と、該画像処理手段により画像処理が施された画像データと前記付加情報生成手段により生成された付加情報とを合成して記録紙に印刷出力する印刷手段と、を備えていることを特徴とする画像処理装置。
【請求項２】
前記原稿読取手段は、所定の読取位置にセットされた複数枚の原稿を１枚の原稿として一括して読み取ることを特徴とする請求項１に記載の画像処理装置。
【請求項３】
前記認証サーバによる認証にかかった費用について課金処理を行う課金処理手段を備えていることを特徴とする請求項１又は２に記載の画像処理装置。
【請求項４】
前記原稿読取手段から入力された画像データを前記印刷手段から印刷出力するモードと、前記原稿読取手段から入力された画像データの認証を前記認証サーバに依頼するモードとを切り替える手段を備えていることを特徴とする請求項１乃至３のいずれか１に記載の画像処理装置。
【請求項５】
前記付加情報生成手段は、前記付加情報として、前記認証結果に関する情報を示す電子透かしを生成することを特徴とする請求項１又は２に記載の画像処理装置。
【請求項６】
前記付加情報生成手段は、前記画像データが認証されていることを明示的に示す情報を生成することを特徴とする請求項１，２，５のいずれか１に記載の画像処理装置。
【発明の詳細な説明】
【技術分野】
【０００１】
本発明は、画像処理装置、より詳細には、認証サーバに対して原稿の画像データの認証を依頼し、その認証結果を受信する機能を備えた画像処理装置に関する。
【背景技術】
【０００２】
各種ドキュメントを電子データとして管理するためのドキュメントファイリングシステムに関する技術が種々提供されている。例えば、スキャナで読み取った原稿の画像データをサーバで管理し、クライアントからの印刷指示に従って、サーバからプリンタに画像データを送り、プリンタから印刷出力できるようにしたものがある（例えば、特許文献１参照）。しかしながら、従来の法律（通称、電子帳簿保存法）では、紙の原稿をスキャナで読み取り、読み取った結果の電子データを電子保存することは認められておらず、原本保証をする必要のある原稿については紙媒体で保存されていた。
【０００３】
これに対して、民間企業に紙での保存が義務付けられている財務や税務関連の書類や帳票を、電子データとして保存することを認める法律（「民間事業者等が行う書面の保存等における情報通信の技術の利用に関する法律」、以下、電子文書法という）が２００５年４月１日から施行された。この電子文書法の対象となるのは、取引先から受領した契約書や見積書、注文書、請求書といった財務・税務関係書類、カルテや処方せんなどの医療関係書類、定款や株主総会・取締役会の議事録などの会社関係書類、などである。
【０００４】
電子文書法によれば、はじめから電子計算機により電子文書として作成された文書データの保存だけでなく、紙で作成された書類をスキャナで読み込んだイメージデータも一定の技術要件を満たせば原本と見なされるようになった。この技術要件については、文書の重要性等に応じて各省庁が省令によって定めている。
【０００５】
この電子文書法の施行に伴い、文書保存コストの大幅な削減が見込まれるが、一方で、データ改ざんの危険性が高まることが予想される。このような改ざんを防止するための技術として、電子署名やタイムスタンプなどが知られている。電子署名は、送受信するデータが間違いなく本人から送信されたものであるということを保証するための技術である。これは、文書データの送信時に、文書内容をハッシュ関数によって数値化し、そのハッシュ値を文書データに添付して送信する。また、文書データの受信時には、送信時と同様に、文書内容をハッシュ関数によって数値化し、このハッシュ値を添付の値と比較することで、文書データが改ざんされていないことを確認できる。
【０００６】
また、例えば、電子商取引で電子的な請求書や契約書などを交わす場合、それらに記録された日時が請求日や契約日となるため、データの日時情報の信頼性が重要となる。タイムスタンプは、このような重要なデータに対して、信頼できる日時情報を付与するための技術である。このタイムスタンプをデータに付与することにより、データがある時刻に存在していたこと（存在証明）、その時刻以後に改ざん等がされていないこと（非改ざん性）などを証明することができる。
【０００７】
上述した電子署名やタイムスタンプなどの技術によって電子データに認証を与える認証サーバを利用した認証サービスが提供されている。これについて以下の図４に基づいて説明する。
【０００８】
図４は、デジタル複合機と認証サーバによる従来の認証システムの処理を説明するための図で、図中、１００はデジタル複合機（ＭＦＰ）、１０１は原稿、１０２は認証済み電子化データ、１０３は認証サーバを示す。デジタル複合機１００は、認証サーバ１０３と通信する機能を備え、原稿１０１を読み取って電子化し、原稿１０１の電子化データの文書内容をハッシュ関数等によって数値化し、このハッシュ値を認証サーバ１０３に登録依頼する。
【０００９】
認証サーバ１０３は、登録依頼された原稿１０１のハッシュ値を登録して認証すると共に、その認証結果（時刻、年月日、認証機関などの情報）をデジタル複合機１００に送信する。デジタル複合機１００は、認証サーバ１０３からの認証結果を受信し、その認証結果に関する情報（例えば、電子透かしなど）を電子化データに埋め込んで、認証済み電子化データ１０２としてハードディスク等の記憶手段に記憶する。このように、デジタル複合機１００の記憶手段に記憶された認証済み電子化データ１０２は、認証サーバ１０３に登録され、原本として保証される。
【００１０】
ここで、電子データ中に一見すると見ることのできないデータを埋め込むことを電子透かしという。この透かしデータが埋め込まれた画像などのデータは、一見すると元のデータと変わりないように見えるが、専用の電子透かし検出ソフトに読み込ませると、埋め込まれた情報が表示される。これにより、不正コピーやデータの改ざんなどを防ぐことができる。さらに、データの改ざんの事実だけでなく改ざんされた箇所も具体的に特定できるようにすることも可能である。
【特許文献１】特開２００２−３３５３９５号公報
【発明の開示】
【発明が解決しようとする課題】
【００１１】
しかしながら、従来の認証システムでは、原稿１枚を単位として認証サーバに認証を依頼していたため、例えば、業者間の取り引きにおいて、たくさんある伝票に関して原本を必要とするような場合、原本性を保証するために、伝票１枚１枚について認証サーバに認証を依頼する必要があり、業務担当者にとっては大きな負荷がかかっていた。また、認証サーバにより認証された画像データは原本としてハードディスク等の記憶手段に記憶されるため、この画像データを紙媒体に印刷する場合、所望の画像データをハードディスクから選んで印刷出力する操作をしなくてはならず、手間がかかっていた。
【００１２】
本発明は、上述のごとき実情に鑑みてなされたものであり、原稿読取手段（スキャナ）の所定の読取位置にセットされた複数枚の原稿を１枚の原稿として一括して読み取って画像データを入力し、画像データの認証を認証サーバへ依頼し、認証サーバからの認証結果に関する情報を画像データに埋め込んで印刷出力できるようにした画像処理装置を提供すること、を目的とする。
【課題を解決するための手段】
【００１３】
上記課題を解決するために、本発明の第１の技術手段は、入力された画像データに画像処理を施して出力する画像処理装置において、原稿の画像データの認証を行うための認証サーバと通信する手段と、原稿を読み取って画像データを入力する原稿読取手段と、該入力された画像データの認証を前記認証サーバに依頼する手段と、前記認証サーバから受信した認証結果に基づいて該認証結果に関する情報を付加情報として生成する付加情報生成手段と、前記原稿読取手段から入力された画像データに対して画像処理を施す画像処理手段と、該画像処理手段により画像処理が施された画像データと前記付加情報生成手段により生成された付加情報とを合成して記録紙に印刷出力する印刷手段と、を備えていることを特徴としたものである。
【００１４】
第２の技術手段は、第１の技術手段は、前記原稿読取手段は、所定の読取位置にセットされた複数枚の原稿を１枚の原稿として一括して読み取ることを特徴としたものである。
【００１５】
第３の技術手段は、第１又は第２の技術手段は、前記認証サーバによる認証にかかった費用について課金処理を行う課金処理手段を備えていることを特徴としたものである。
【００１６】
第４の技術手段は、第１乃至第３のいずれか１の技術手段において、前記原稿読取手段から入力された画像データを前記印刷手段から印刷出力するモードと、前記原稿読取手段から入力された画像データの認証を前記認証サーバに依頼するモードとを切り替える手段を備えていることを特徴としたものである。
【００１７】
第５の技術手段は、第１又は第２の技術手段において、前記付加情報生成手段は、前記付加情報として、前記認証結果に関する情報を示す電子透かしを生成することを特徴としたものである。
【００１８】
第６の技術手段は、第１，第２，第５のいずれか１の技術手段において、前記付加情報生成手段は、前記画像データが認証されていることを明示的に示す情報を生成することを特徴としたものである。
【発明の効果】
【００１９】
本発明によれば、原稿読取手段（スキャナ）の所定の読取位置にセットされた複数枚の原稿を１枚の原稿として一括して読み取って画像データを入力し、画像データの認証を認証サーバへ依頼し、認証サーバからの認証結果に関する情報を画像データに埋め込んで印刷出力することにより、例えば、業者間の取り引きにおいて、たくさんある伝票に関して原本を必要とするような場合、原本性を保証するために、複数枚の伝票を一括して認証サーバに認証を依頼することができるため、業務担当者の負荷が軽減される。
【発明を実施するための最良の形態】
【００２０】
図１は、本発明の一実施形態に係る画像処理装置の概略構成例を示すブロック図で、図中、１は画像処理装置、２０は電話回線網、３０はＬＡＮ等で構成されたネットワーク、２１は電話回線網２０に接続されたファクシミリ装置、３１，３２はネットワーク３０に接続された端末装置、４０は認証サーバを示す。画像処理装置１は、ファクシミリ装置２１との間でＦＡＸによる画像データの送受信を可能とし、端末装置３１，３２との間で電子メール等を利用した画像データの送受信を可能とする。ここで、本発明の画像データは、画像データに限らず、文書データ、あるいは画像及び文書からなるデータを含むものとする。
【００２１】
尚、本実施形態の画像処理装置１としては、スキャナ機能、コピー機能、ファクシミリ機能、及びプリンタ機能のいずれか複数の機能を備えたデジタル複合機を適用した場合を代表例とし、以下、デジタル複合機１として説明する。
【００２２】
図１において、デジタル複合機１は、原稿を読み取って画像データを入力する画像読み取り部２と、デジタル複合機１が備える各機能を制御する機器制御部３と、ユーザ入力を受け付ける操作部４と、ＬＡＮ等のネットワーク３０を介して端末装置３１，３２、及び認証サーバ４０と通信する通信部５と、画像データの印刷処理を行うデータ処理手段である画像形成部６と、画像データを記憶するためのハードディスク（ＨＤ）７と、デジタル複合機１の制御情報や設定情報などを記憶するメモリである管理部８と、電話回線網２０を介してファクシミリ装置２１と通信するためのＦＡＸモデム９と、ＨＤ７内の画像データを消去する消去手段１０と、を備えている。
【００２３】
以下、図１に示すデジタル複合機１の各部について詳細に説明する。まず、画像読み取り部２は、原稿を読み取って画像データを入力するための入力手段であり、画像読み取り手段としてのＣＣＤ（Ｃｈａｒｇｅ  Ｃｏｕｐｌｅｄ  Ｄｅｖｉｃｅ：電荷結合素子）２ａと、原稿台や自動原稿送り装置（ＡＤＦ）などにセットされた原稿を検知する原稿検知センサ２ｂと、を備えている。
【００２４】
操作部４は、各種入力キーなどを備えた入力部４ａと、ＬＣＤ（Ｌｉｑｕｉｄ  Ｃｒｙｓｔａｌ  Ｄｉｓｐｌａｙ：液晶ディスプレイ）などの表示部４ｂと、を備えており、デジタル複合機１に対して操作の入力や、各種設定の入力を行う。また、入力部４ａには、デジタル複合機１を利用する利用者の認証情報を入力する認証情報入力手段を配置するようにしてもよい。利用者の認証情報の入力方法としては、例えば、利用者コードの直接入力、ＩＤカードの情報読み取り入力、利用者の生体情報（指紋などの）読み取り入力など様々である。これらのいずれかの方法により、デジタル複合機１の利用者認証を行えるようにする。
【００２５】
画像形成部６は、入力された画像データを印字出力するための手段であり、ページメモリであるメモリ６ａと、ＬＳＵ（Ｌａｓｅｒ  Ｓｃａｎｎｉｎｇ  Ｕｎｉｔ：レーザ走査ユニット）などの印字部６ｂと、記録紙を収納するための第１給紙トレイ１４及び第２給紙トレイ１５と、を備えている。画像形成部６は、メモリ６ａに一旦記憶された画像データを暗号化してＨＤ７に記憶し、また、ＨＤ７に暗号化して記憶した画像データを復号してメモリ６ａに送り、印字部６ｂに転送して印字出力する。この暗号化／復号化処理は任意に設定可能であり、当該処理を行わないようにしてもよい。
【００２６】
ＨＤ７は、入力された画像データを一時的に記憶するための記憶手段である。このＨＤ７を、磁気記憶媒体を備えた記憶手段として構成することで、デジタル複合機１は、大量の画像データを蓄積して順次処理していくことが可能となり、複数の利用者からの指示を効率良く処理することができる。
【００２７】
以下、デジタル複合機１が搭載している画像処理モードに関する動作例について簡単に説明する。
（コピーモード）
本実施形態に係るデジタル複合機１を複写機として利用する場合には、画像読み取り部２で読み取られた原稿の画像データが、画像形成部６から複写物として出力される。
【００２８】
画像読み取り部２には、ＣＣＤ２ａが備えられており、読み取り位置にセットされた原稿の画像を電子的に読み取ることができる。そして、読み取られた原稿の画像データは、メモリ６ａ上に出力データとして完成され、一旦ＨＤ７へ記憶される。原稿が複数ある場合は、この読み取り、記憶の動作が繰り返される。その後、操作部４から指示された処理モードに基づいて、ＨＤ７に記憶された画像データが適切なタイミングで順次読み出されてメモリ６ａに送られる。そして、印字部６ｂへの書き込みタイミングに合わせて、画像データがメモリ６ａから印字部６ｂへと転送される。
【００２９】
また、読み取った画像データを複数枚印字する場合も、同様に出力データとしてページ単位でＨＤ７へ記憶され、出力するモードに合わせてＨＤ７からメモリ６ａに送られ、出力枚数の分だけ繰り返し、印字部６ｂへの書き込みタイミングに合わせて、画像データがメモリ６ａから印字部６ｂへ転送される。
【００３０】
（プリンタモード）
次に、本実施形態に係るデジタル複合機１をプリンタとして利用する場合には、通信部５から受信した画像データがメモリ６ａなどを介して画像形成部６から出力される。
【００３１】
通信部５は、有線あるいは無線を利用してネットワーク３０と接続されており、ネットワーク３０上に接続された外部機器である端末装置３１，３２から画像データを受信する。このように受信された画像データは、出力する画像データとしてページ単位にメモリ６ａに送られ、一旦ＨＤ７へ記憶される。そして、画像データは、再びＨＤ７からメモリ６ａに送られ、前述した複写機として利用する場合と同様に、メモリ６ａから印字部６ｂへと転送される。
【００３２】
（スキャナモード）
また、本実施形態に係るデジタル複合機１をネットワークスキャナとして利用する場合には、画像読み取り部２において読み取られた原稿の画像データを、通信部５からネットワーク３０を介して任意の端末装置３１，３２へ送信することができる。ここでも、画像読み取り部２に備えられたＣＣＤ２ａにより原稿を電子的に読み取る。そして、読み取られた原稿の画像データは、メモリ６ａ上に出力データとして完成され、一旦ＨＤ７へ記憶される。そして、再びＨＤ７からメモリ６ａに送られ、操作部４を介して指示された送信先との通信を確立させた上で通信部５から目的の送信先へと送信される。
【００３３】
（ファクシミリモード）
さらに、通信部５は、ネットワーク３０を介して図示しないファクシミリ装置と接続可能とする。また、ＦＡＸモデム９は、電話回線網２０を介してファクシミリ装置２１と接続されている。本実施形態に係るデジタル複合機１をファクシミリ装置として利用する場合にも同様の動作が行われ、外部機器との間で画像データの送信及び受信が可能となる。
【００３４】
本実施形態に係るデジタル複合機１の各構成部は、機器制御部３により制御され、操作部４に設けられたタブレット，キー群などの入力部４ａからの操作指示を監視すると共に、表示部４ｂを介してデジタル複合機１の状態に関する情報などのユーザに通知すべき情報を的確に案内表示する。また、管理部８には、機器制御部３により制御されている各構成部に関する情報が管理されており、これら情報をもとに、機器制御部３がデジタル複合機１全体の動作を制御する。
【００３５】
本発明の画像処理装置であるデジタル複合機１は、原稿の画像データの認証を行うための認証サーバ４０とネットワーク３０を介して通信する通信部５と、原稿を読み取って画像データを入力する画像読み取り部２（本発明の原稿読取手段に相当）と、入力された画像データの認証を認証サーバ４０に依頼する機器制御部３と、認証サーバ４０から受信した認証結果に基づいて該認証結果に関する情報を付加情報として生成する付加情報生成手段１１と、画像読み取り部２から入力された画像データに対して画像処理を施す画像処理部１２と、画像処理部１２により画像処理が施された画像データと付加情報生成手段１１により生成された付加情報とを合成して記録紙に印刷出力する画像形成部６（本発明の印刷手段に相当）と、を備えている。
【００３６】
また、課金処理部１３は、認証サーバ４０による認証にかかった費用について課金処理を行う手段であって、コイン式あるいはプリペイドカード式の一般的なコインラック装置を内蔵あるいは外部接続することで実現することができる。例えば、コインラック装置に予め１００円を投入した場合を想定する。一回の認証処理を含むＡ４コピー１枚について１５円（Ａ４コピーのみの場合１０円）といったように単価を決めておき、処理の回数分の料金をコインラック装置から引き落とすようにしてもよい。
【００３７】
上記において、画像読み取り部２から入力された画像データを画像形成部６から印刷出力するモード（すなわち、認証処理を行わず単にコピーだけを行うモード）と、画像読み取り部２から入力された画像データの認証を認証サーバ４０に依頼するモードとを切り替える手段を備えるようにしてもよい。例えば、モードを切り替えるためのモード選択画面を表示部４ｂに表示させ、上記いずれかのモードをユーザにより選択させる方法が考えられる。
【００３８】
図２は、本発明のデジタル複合機１と認証サーバ４０による認証システムの処理の一例を説明するための図である。デジタル複合機１の画像読み取り部２は、原稿を所定の読取位置にセットするための原稿読取台２ｃを備える。ユーザは、複数の原稿（本例では納品書５０ａ、発送伝票５０ｂ、請求書５０ｃ）を原稿読取台２ｃの所定の読取位置にセットする。画像読み取り部２は、セットされた納品書５０ａ、発送伝票５０ｂ、請求書５０ｃを１枚の原稿５０として一括して読み取る。この際、機器制御部３は、読み取った原稿５０の画像データの文書内容をハッシュ関数等によって数値化し、通信部５は、機器制御部３で生成されたハッシュ値を認証サーバ４０に登録依頼する。
【００３９】
認証サーバ４０は、登録依頼された原稿５０のハッシュ値を登録して原稿（画像データ）５０を認証すると共に、その認証結果（時刻、年月日、認証機関などの情報）をデジタル複合機１に送信する。通信部５は、認証サーバ４０からの認証結果を受信し、付加情報生成手段１１は、通信部５で受信した認証結果に基づいて該認証結果に関する情報（時刻、年月日、認証機関などの情報）を付加情報５１ａ（以下、電子透かし５１ａ）として生成する。画像形成部６は、画像処理部１２により画像処理が施された画像データと、付加情報生成手段１１により生成された電子透かし５１ａとを合成して記録紙に印刷出力し、その結果、複製物５１を得る。本発明では、原稿５０の画像データはＨＤ７に蓄積されることなく、複製物５１として印刷出力される。この複製物５１は、認証サーバ４０に登録／認証され、原本として保証される。
【００４０】
なお、電子透かし５１ａは、前述したように、複製物５１中に埋め込まれた一見すると見ることのできない情報（例えば、黄色のドットパターンなど）である。この「透かし」が埋め込まれた複製物５１は、一見すると元の原稿５０と変わりないように見えるが、専用の電子透かし検出ソフトに読み込ませると、埋め込まれた「透かし」に応じた情報（ここでは、認証結果に関する情報）が表示される。これにより、不正コピーやデータの改ざんなどを防ぐことができる。さらに、データの改ざんの事実だけでなく改ざんされた箇所も具体的に特定できるようにすることも可能である。
【００４１】
上記のように印刷出力された複製物５１には、付加情報である電子透かし５１ａ以外に、原稿５０（納品書５０ａ、発送伝票５０ｂ、請求書５０ｃ）が認証されていることを明示的に示す情報として、認証メッセージ５１ｂと、認証完了マーク５１ｃとが印刷されている。認証メッセージ５１ｂ及び認証完了マーク５１ｃは、付加情報生成手段１１により生成され、画像形成部６により画像データに付加されて印刷出力される。
【００４２】
認証メッセージ５１ｂは、認証されていることが見てわかるようなメッセージであり、本例では、「これらの文書データは××サーバにより認証されています。」というメッセージと、日付（２００ｘ．ｘｘ．ｘｘ）及び時刻（００：００′００″）が含まれる。また、認証完了マーク５１ｃは、認証メッセージ５１ｂと同様に、認証されていることが見てわかるようなマークであり、各認証機関によって異なるマークであってもよい。
【００４３】
なお、複製物５１の形態は、図２に示す例に限らず、認証メッセージ５１ｂ及び認証完了マーク５１ｃを含まない形態としてもよく、また、認証メッセージ５１ｂあるいは認証完了マーク５１ｃのいずれか一方を含む形態としてもよい。
【００４４】
図３は、本発明のデジタル複合機１の認証方法の一例を説明するためのフロー図である。まず、ユーザは、デジタル複合機１の原稿読取台にｎ枚の原稿をセットし（ステップＳ１）、デジタル複合機１は、スタートキーがＯＮされたかどうかを判断し（ステップＳ２）、スタートキーがＯＮされた場合（ＹＥＳの場合）、セットされたｎ枚の原稿を１枚の原稿として一括して読み取る（ステップＳ３）。また、上記ステップＳ２において、スタートキーがＯＮされない場合（ＮＯの場合）、スタートキーがＯＮされるまで待機する。
【００４５】
次に、デジタル複合機１は、ステップＳ３で読み取った原稿の画像データをメモリに保存し（ステップＳ４）、認証サーバ４０に対して認証を依頼する（ステップＳ５）。次に、デジタル複合機１は、認証サーバ４０から認証結果を受信したかどうかを判断し（ステップＳ６）、認証結果を受信した場合（ＹＥＳの場合）、認証されたことをユーザに通知する（ステップＳ７）。また、上記ステップＳ６において、認証結果を受信しない場合（ＮＯの場合）、認証結果を受信するまで待機する。
【００４６】
次に、デジタル複合機１は、認証サーバ４０からの認証結果に基づいて該認証結果に関する情報（時刻、年月日、認証機関の情報など）を付加情報（電子透かしなど）として生成し、その付加情報を画像データに埋め込んで認証情報付き複製物として印刷出力し（ステップＳ８）、最後に、認証処理にかかった費用の課金処理を行う（ステップＳ９）。
【００４７】
以上に説明したように、本発明によれば、原稿読取手段（スキャナ）の所定の読取位置にセットされた複数枚の原稿を１枚の原稿として一括して読み取って画像データを入力し、画像データの認証を認証サーバへ依頼し、認証サーバからの認証結果に関する情報を画像データに埋め込んで印刷出力することにより、例えば、業者間の取り引きにおいて、たくさんある伝票に関して原本を必要とするような場合、原本性を保証するために、複数枚の伝票を一括して認証サーバに認証を依頼することができるため、業務担当者の負荷が軽減される。
【図面の簡単な説明】
【００４８】
【図１】本発明の一実施形態に係る画像処理装置の概略構成例を示すブロック図である。
【図２】本発明のデジタル複合機と認証サーバによる認証システムの処理の一例を説明するための図である。
【図３】本発明のデジタル複合機の認証方法の一例を説明するためのフロー図である。
【図４】デジタル複合機と認証サーバによる従来の認証システムの処理を説明するための図である。
【符号の説明】
【００４９】
１，１００…画像処理装置（デジタル複合機）、２…画像読み取り部、２ａ…ＣＣＤ、２ｂ…原稿検知センサ、２ｃ…原稿読取台、３…機器制御部、４…操作部、４ａ…入力部、４ｂ…表示部、５…通信部、６…画像形成部、６ａ…メモリ、６ｂ…印字部（ＬＳＵ）、７…ハードディスク（ＨＤ）、８…管理部、９…消去手段、１０…ＦＡＸモデム、１１…付加情報生成手段、１２…画像処理部、１３…課金処理部、１４…第１給紙トレイ、１５…第２給紙トレイ、２０…電話回線網、２１…ファクシミリ装置、３０…ネットワーク、３１，３２…端末装置、４０，１０３…認証サーバ、５０，１０１…原稿、５０ａ…納品書、５０ｂ…発送伝票、５０ｃ…請求書、５１…複製物、５１ａ…付加情報（電子透かし）、５１ｂ…認証メッセージ、５１ｃ…認証完了マーク、１０２…認証済み電子化データ。
【図１】
2007074089.tif 000003
【図２】
2007074089.tif 000004
【図３】
2007074089.tif 000005
【図４】
2007074089.tif 000006